(57)【特許請求の範囲】
【請求項１】
便器の便座上に設置される補助便座であって、該補助便座は表面に不透水層を有するクッション性材料からなり、便器の便座との接触面には断熱層を有することを特徴とする補助便座
【請求項２】
該断熱層の下面には軽粘着層が設けられている請求項１に記載の補助便座
【請求項３】
該断熱層はプラスチック発泡体である請求項１または２に記載の補助便座
【請求項４】
該補助便座は、中央部に開口部を有する便座本体と、該便座本体の開口部周囲から下方へ垂設されるフランジとからなる請求項１〜３のいずれかに記載の補助便座
【発明の詳細な説明】
【０００１】
【産業上の利用分野】
本発明は便器の高さ及び開口部の大きさ調節を行うため便器の便座上に設置される補助便座であって、着座時の感触を柔らかくし、更に耐久性の高い補助便座に関するものである。
【０００２】
【従来の技術】
便器の上面には便座が設置されているが、使用者の体型に合わせて便座の大きさや高さを調節するため更に便器の便座の上に補助便座が設置される。該補助便座は着座時の感触を柔らかくしたり使用時の冷感を和らげるため、ポリウレタン発泡体等のクッション性材料により製造されることが多い。
【０００３】
【発明が解決しようとする課題】
しかし近年ヒーターが内蔵された便器が普及し上記クッション性材料により製造された補助便座がかかる便器に使用された場合、該補助便座のクッション性材料であるポリウレタン発泡体等がヒーターにより加熱されて変性したり劣化するという問題点があった。
【０００４】
【課題を解決するための手段】
本発明は上記従来の課題を解決するための手段として、便器(8) の便座(9) 上に設置される補助便座(1) であって、該補助便座(1) は表面に不透水層(21)を有するクッション性材料(22)からなり、便器(8) の便座(9) との接触面には断熱層(32)を有する補助便座(1) を提供するものである。
該断熱層(32)の下面には軽粘着層(33)が設けられていることが望ましく、また該断熱層(32)はプラスチック発泡体であることが望ましい。
また該補助便座(1) は、中央部に開口部(3) を有する便座本体(2) と、該便座本体(2) の開口部(3) 周囲から下方へ垂設されるフランジ(6) とからなることが望ましい。
【０００５】
【作用】
該補助便座(1) はクッション性材料(22)からなるので感触が柔らかくなり、使用者の臀部になじみ易く、また使用者の体の動きにも追従して違和感がなく、長時間着座していても使用者が苦痛を感じることがない。さらに該補助便座(1) は便器(8) の便座(9) との接触面に断熱層(32)を有するのでヒーター付きの便器(8) に使用された場合でも、ヒーターの熱伝導を抑制し該補助便座(1) を構成するクッション性材料(22)の変性や劣化を防止する。したがって該補助便座(1) は長期間にわたってクッション性を保ち良好な使用感を保持できる。
【０００６】
また該断熱層(32)の下面に軽粘着層(33)が設けられていると、便器(8) の便座(9) 上に設置されたときに補助便座(1) のズレが防止される。また軽粘着性であるので補助便座(1) を便器(8) の便座(9) から剥がし易く、更に粘着剤が便器(8) の便座(9) 上に残らず衛生的である。また該断熱層(32)がプラスチック発泡体であると射出成形等により簡単に製造できる。
【０００７】
該補助便座(1) が中央部に開口部を有する便座本体(2) と、該便座本体(2) の開口部(3) 周囲から下方へ垂設されるフランジ(6) とからなると、該フランジ(6) を便器(8) の便座(9) の中央部の開口部(10)に嵌着して容易に位置決めおよび位置固定ができる。
【０００８】
【実施例】
本発明を図１〜図９に示す一実施例によって説明すれば、補助便座(1) は表面に不透水層(21)を有する軟質ポリウレタン発泡体やエラストマー発泡体等のようなクッション性材料(22)からなり、図１および２に示すように該補助便座(1) の便座本体(2) の中央部には前端部に凹陥部(4) を有する開口部(3) が設けられ、両側部(2A,2A) 上面には一対の繊維シート(31)が接着剤により貼着されている。また図３に示すように便座本体(2) の前端部には凹部(5) が設けられている。
【０００９】
該便座本体(2) の開口部(3) の周囲からは図３および４に示すようにフランジ(6) が下方に垂設されており、該フランジ(6) の後端部には図５に示すように円弧状の切欠き(7) が設けられている。また該便座本体(2) の便器(8) の便座(9) との接触面には断熱層である断熱シート(32)が貼着され、さらに該断熱シート(32)の下面には軽粘着層(33)が設けられている。
【００１０】
該断熱シート(32)としては例えば発泡ポリスチレン、発泡ポリエチレン、発泡ポリプロピレン、ポリスチレン−ポリエチレン発泡体、ポリスチレン−ポリプロピレン発泡体等の発泡プラスチックのシートや不織布、繊維編織物等の繊維シート等が使用できる。特にＰＥＴ繊維不織布を使用すればＰＥＴボトルの再利用に有効であり、繊維シートを使用すれば繊維シートは適度な伸縮性を有するので使用者が腰をおろした時の便座本体(2) の変形に追従して変形し便座本体(2) から剥離することが防止される。
【００１１】
軽粘着層(33)としては天然ゴム、再生ゴム、ＳＢＲ、ポリイソブチレン、ＮＢＲ、ポリビニルエーテル、ポリアクリルエステル、またはその重合体等を主材とし、該主材に粘着性を調節するためにポリテルペン、ロジンならびにその誘導体、油溶性フェノール樹脂、 クマロンインデン樹脂、石油系炭化水素等の粘着性付与樹脂および鉱油、ラノリン、液状ポリブテン、液状ポリアクリレート等の可塑剤を添加混練したものを塗布することにより形成する。
【００１２】
該軽粘着層(33)には更に亜鉛華、チタン白、炭カル、クレー、水酸化アルミ、顔料等の充填剤、ゴム用酸化防止剤、金属ジチオカーバメート、金属キレート剤等の老化防止剤が配合されることが望ましい。
【００１３】
該軽粘着層(33)は着脱容易にするため低い圧力で接着でき、またヒーター付きの便器に使用した場合でも該便器の便座に粘着剤が残らない程度の感圧型接着剤であることが望ましい。粘着性は軽粘着層(33)の成分である主材、粘着性付与樹脂、可塑剤等の種類や比率を調節することにより行う。このように粘着性を調節すると補助便座を容易に着脱できかつ使用時に腰掛けてもズレにくく、更に粘着剤が残存しないので便座(2) は清潔に保たれる。
【００１４】
上記補助便座(1) は図６および図７に示すように便器(8) の便座(9) 上に設置される。この状態で図７に示すように該補助便座(1) の便座本体(2) の開口部(3) の周囲から垂設されているフランジ(6) が該便座(9) の開口部(10)に嵌着され、該フランジ(6) は該便座(9) の開口部(10)の周壁に密着し、該補助便座(1) を固定する。
【００１５】
このように便器(8) の便座(9) 上に補助便座(1) を嵌着設置すれば、図７に示すように便座面の高さが該補助便座(1) の便座本体(2) および断熱シート(32)および粘着層(33)の厚み分（ｈ）高くなり、かつ開口部(3) が便器(8) の便座(9) の開口部(10)よりもフランジ(6) および断熱シート(32)および粘着層(33)の巾ｄだけ狭くなり、使用者が腰を下ろした時、臀部がはまりにくくなる。
【００１６】
また該便座本体(2) の前端部に形成されている凹陥部(4) と凹部(5) とによって排尿時便座(1) の干渉感がなく安心して排尿できる。そして使用後、本人または介助者が洗浄を行う場合には該凹部(5) から手を差し入れることもできる。更にシャワートイレの場合には、該補助便座(1) のフランジ(6) の後端部に切欠き(7) が設けられているので、シャワーを行う際に該フランジ(6) が干渉しないようにされている。
【００１７】
本発明の補助便座は例えば合成樹脂の射出成形によって製造されるので、該断熱シートを予め射出成形金型にインサートしておけば後張りする必要がない。また断熱シートとしてプラスチック発泡体を用いる場合は、まず型内に射出成形により断熱層を形成した後、更にウレタンを型内発泡させてもよい。
【００１８】
本実施例では補助便座の便座本体の上面には繊維シートが貼着されているが該繊維シートは貼着されていなくてもよいし、また着脱可能に貼着されていてもよい。また断熱層の下面に軽粘着層が設けられていることは必ずしも必要ではない。
【００１９】
【発明の効果】
本発明の補助便座は便器に簡単に設置でき、ヒーター付きの便器に使用してもクッション性材料が劣化せず柔らかく快適な座り心地が長期間にわたり保持される。また補助便座の下面に軽粘着層が設けられていると補助便座を便器に取り付けたときズレが防止され安定する。
【図面の簡単な説明】
図１〜図７は本発明の一実施例を示すものである。
【図１】平面図
【図２】裏面図
【図３】正面図
【図４】側断面図
【図５】背面図
【図６】使用状態斜視図
【図７】嵌着状態の図１におけるＡ−Ａ断面図
【符号の説明】
1           補助便座
2           便座本体
3           開口部
6           フランジ
8           便器
9           便座
21          不透水層
22          クッション性材料
32          断熱シート（断熱層）
33          軽粘着層
【図１】
0003710369.tif 000002
【図２】
0003710369.tif 000003
【図３】
0003710369.tif 000004
【図４】
0003710369.tif 000005
【図５】
0003710369.tif 000006
【図６】
0003710369.tif 000007
【図７】
0003710369.tif 000008